(57)【要約】スリープモード時において、電源制御部は、チューナ、復調部、ＡＶデータ処理部及びマイコンへの通電を停止させ、スタンバイチューナへのみ通電を行い、スタンバイチューナは、チューナが受信する特定周波数以外の周波数を用いてヘッドエンドから送信される起動信号を受信し、起動信号に応じて通電指示信号を出力し、電源制御部は、通電指示信号に応答してチューナ、復調部、ＡＶデータ処理部及びマイコンへ通電を行う。
2004091212.tif 000002
【特許請求の範囲】
【請求項１】
放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とする受信装置。
【請求項２】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１記載の受信装置。
【請求項３】
前記受信装置は、複数のグループの中から予め定められた一のグループに属し、
前記起動信号は、前記グループを特定するためのグループ特定情報を含み、
前記第２の受信手段は、当該第２の受信手段を備える受信装置が属するグループを特定するグループ特定情報を前記起動信号として受信した場合に、前記通電指示信号を前記通電制御手段へ出力することを特徴とする請求項２記載の受信装置。
【請求項４】
前記起動信号は、前記特定周波数の信号が使用していない未使用周波数帯域内に挿入された複数のキャリア信号を含み、
前記第２の受信手段は、
前記キャリア信号毎に当該キャリア信号を検波する複数の検波手段と、
前記複数の検波手段によるキャリア信号の検出結果から前記起動信号に含まれる情報を抽出する抽出手段とを備えることを特徴とする請求項３記載の受信装置。
【請求項５】
前記抽出手段は、前記グループ特定情報と前記複数の検波手段によるキャリア信号の検出結果から構成されるデジタルデータとが一致する場合に、前記通電指示信号を前記通電制御手段へ出力することを特徴とする請求項４記載の受信装置。
【請求項６】
前記起動信号は、前記特定周波数の信号が使用していない未使用周波数帯域内に挿入された複数のキャリア信号を含み、
前記第２の受信手段は、
前記キャリア信号毎に設けられ、当該キャリア信号を通過させる複数のフィルタ手段と、
前記複数のフィルタ手段の中から一のフィルタ手段の出力を順次選択して出力する選択手段と、
前記選択手段の出力からキャリア信号を順次検波する検波手段と、
前記検波手段によるキャリア信号の検出結果から前記起動信号に含まれる情報を抽出する抽出手段とを備えることを特徴とする請求項３記載の受信装置。
【請求項７】
前記起動信号は、前記特定周波数の信号が使用していない未使用周波数帯域内に挿入された複数のキャリア信号を含み、
前記第２の受信手段は、
通過周波数帯域を変更可能に構成された可変フィルタ手段と、
前記複数のキャリア信号を順次通過させるように前記可変フィルタ手段の通過周波数帯域を順次制御する制御手段と、
前記可変フィルタ手段の出力からキャリア信号を順次検波する検波手段と、
前記検波手段によるキャリア信号の検出結果から前記起動信号に含まれる情報を抽出する抽出手段とを備えることを特徴とする請求項３記載の受信装置。
【請求項８】
前記起動信号は、前記第１の受信手段が起動すべき時刻を特定するための時刻情報をさらに含み、
前記第２の受信手段は、受信した起動信号に含まれる時刻情報を抽出して前記通電指示信号とともに前記通電制御手段へ出力し、
前記通電制御手段は、前記時刻情報により特定される時刻に前記第１の受信手段への通電を行うことを特徴とする請求項２記載の受信装置。
【請求項９】
前記第１の受信手段は、
前記特定周波数の信号を受信するチューナ部と、
前記チューナ部により受信された信号を復調する復調部と、
前記復調部により復調された信号を映像信号及び音声信号に変換する変換部と、
前記チューナ部、前記復調部及び前記変換部の動作を制御する制御部とを備え、
前記通電制御手段は、少なくとも前記第２の受信手段が前記起動信号を受信するまでは、前記チューナ部、前記復調部、前記変換部及び前記制御部への通電を停止することを特徴とする請求項２記載の受信装置。
【請求項１０】
前記通電制御手段は、前記通電指示信号に応じて前記第１の受信手段への通電を行った後に、前記第２の受信手段への通電を停止することを特徴とする請求項２記載の受信装置。
【請求項１１】
前記第２の受信手段は、前記通電制御手段により前記第１の受信手段への通電が行われている場合に、前記動作信号として前記特定周波数以外の周波数を用いて放送局装置から送信される停止信号を受信し、受信した停止信号に応じて前記通電制御信号として通電停止信号を前記通電制御手段へ出力し、
前記通電制御手段は、前記通電停止信号に応じて前記第１の受信手段への通電を停止することを特徴とする請求項１記載の受信装置。
【請求項１２】
受信装置と、前記受信装置により受信された放送画面を表示する表示手段とを備え、
前記受信装置は、
放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とする表示装置。
【請求項１３】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１２記載の表示装置。
【請求項１４】
前記通電制御手段は、少なくとも前記第２の受信手段が起動信号を受信するまでは、前記第１の受信手段及び前記表示手段への通電を停止することを特徴とする表示装置。
【請求項１５】
特定周波数の信号を送信する放送局装置と、前記放送局装置から送信される信号を受信する複数の受信装置とを備えるテレビ放送システムであって、
前記放送局装置は、前記特定周波数以外の周波数を用いて動作信号を前記受信装置へ送信し、
前記受信装置は、
前記放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とするテレビ放送システム。
【請求項１６】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１５記載のテレビ放送システム。
【発明の詳細な説明】
【技術分野】  本発明は、放送局装置から放送信号を受信する受信装置、同装置を用いた表示装置及びテレビ放送システム、例えば、ＣＡＴＶ（ケーブル・テレビ）局のヘッドエンド装置から放送信号を受信する受信装置、同装置を用いた表示装置及びＣＡＴＶシステムに関するものである。
【背景技術】  米国においては多数のチャンネルの放送が可能なＣＡＴＶシステムが普及し、また、放送方式のデジタル化に伴い高画質な放送を多数のチャンネルで行うことが可能になってきている。このようなＣＡＴＶシステムとして、例えば、特開２００２−３０８０３０号公報には、受信装置である端末機における省電力化を図るため、下りデータを送信するヘッドエンドと、このヘッドエンドから送信される下りデータを受信する端末機を備え、端末機がチューナ、復調回路、ＣＰＵ（中央演算処理装置）及びスイッチ回路を有し、ＣＰＵが所定の時間帯にスイッチ回路をオンさせてチューナ及び復調回路に通電を行うＣＡＴＶシステムが開示されている。
しかしながら、上記の端末機では、ＣＰＵによりスイッチ回路のオン及びオフを切り替える必要があり、ケーブル放送を受信しないスリープモード時にもＣＰＵに対して通電する必要があり、端末機のスリープモード時の消費電力を充分に低減することができない。
また、スイッチ回路をオン又はオフするための下りデータは、端末機がパワーオンモード時すなわち通電状態にあるときにヘッドエンドから送信される必要があり、スイッチ回路をオン又はオフするための下りデータを任意の時刻に送信することができない。
【発明の開示】
本発明の目的は、任意の時刻において電源状態を切り替えて消費電力を充分に低減することができる受信装置、同装置を用いた表示装置及びテレビ放送システムを提供することである。
本発明の他の目的は、スリープモードにおける消費電力を充分に低減することができるとともに、任意の時刻においてスリープモードからパワーオンモードに切り替えるための起動信号を受信することができる受信装置、同装置を用いた表示装置及びテレビ放送システムを提供することである。
本発明の一局面に従う受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
この受信装置においては、第１の受信手段が受信する特定周波数以外の周波数を用いて放送局装置から送信される動作信号を第２の受信手段が受信し、受信された動作信号に応じて第２の受信手段が通電制御信号を出力し、通電制御信号に応じて通電制御手段が第１の受信手段への通電を制御しているので、通常の放送等に影響を与えることなく、任意の時刻に動作信号を放送局装置から送信することができるとともに、動作信号を用いて第１の受信手段の通電状態を制御することができ、任意の時刻において受信装置の電源状態を切り替えて消費電力を充分に低減することができる。
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
この場合、通電制御手段により第１の受信手段への通電が停止されている場合に、第１の受信手段が受信する特定周波数以外の周波数を用いて放送局装置から送信される起動信号を第２の受信手段が受信し、受信された起動信号に応じて第２の受信手段が通電指示信号を出力し、通電指示信号に応じて通電制御手段が第１の受信手段へ通電を行うので、放送を受信しないスリープモードにおいて、第１の受信手段へ通電することなく、第２の受信手段へのみ通電すればよく、受信装置の消費電力を必要最低限に抑制することができる。
また、起動信号として第１の受信手段が受信する特定周波数の信号、例えば、通常の放送に使用される周波数及び電子番組ガイド等の種々の情報を含む下りデータに使用される周波数以外の周波数の信号を用いているので、通常の放送等に影響を与えることなく、任意の時刻に起動信号を放送局装置から送信することができる。
この結果、放送を受信しないスリープモードにおける消費電力を充分に低減することができるとともに、任意の時刻においてスリープモードからパワーオンモードに切り替えるための起動信号を受信することができ、任意の時刻にスリープモードからパワーオンモードに切り替えることができる。
受信装置は、複数のグループの中から予め定められた一のグループに属し、起動信号は、グループを特定するためのグループ特定情報を含み、第２の受信手段は、当該第２の受信手段を備える受信装置が属するグループを特定するグループ特定情報を起動信号として受信した場合に、通電指示信号を通電制御手段へ出力することが好ましい。
この場合、グループ毎に受信装置をスリープモードからパワーオンモードに切り替えることができるので、例えば、グループ毎に異なる時間帯で下りデータ等を送信することができ、ケーブルネットワークのトラフィックを効率よく活用することができる。
起動信号は、特定周波数の通信信号が使用していない未使用周波数帯域内に挿入された複数のキャリア信号を含み、第２の受信手段は、キャリア信号毎に当該キャリア信号を検波する複数の検波手段と、複数の検波手段によるキャリア信号の検出結果から起動信号に含まれる情報を抽出する抽出手段とを備えることが好ましい。
この場合、キャリア信号の有無をデジタルデータに対応させることにより起動信号に含まれる情報を抽出することができるので、簡略な構成により種々の情報を起動信号として受信することができる。
抽出手段は、グループ特定情報と複数の検波手段によるキャリア信号の検出結果から構成されるデジタルデータとが一致する場合に、通電指示信号を通電制御手段へ出力することが好ましい。
この場合、グループ特定情報に応じて第１の受信手段への通電を行うことができるので、受信装置が属するグループ毎にスリープモードからパワーオンモードに切り替わる時刻を任意に設定することができる。
起動信号は、特定周波数の信号が使用していない未使用周波数帯域内に挿入された複数のキャリア信号を含み、第２の受信手段は、キャリア信号毎に設けられ、当該キャリア信号を通過させる複数のフィルタ手段と、複数のフィルタ手段の中から一のフィルタ手段の出力を順次選択して出力する選択手段と、選択手段の出力からキャリア信号を順次検波する検波手段と、検波手段によるキャリア信号の検出結果から起動信号に含まれる情報を抽出する抽出手段とを備えるようにしてもよい。
この場合、キャリア信号の有無をデジタルデータに対応させることにより起動信号に含まれる情報を抽出することができるので、簡略な構成により種々の情報を起動信号として受信することができるとともに、一つの検波手段を複数のフィルタ手段で共用することができるので、第２の受信手段の回路構成を簡略化することができる。
起動信号は、特定周波数の信号が使用していない未使用周波数帯域内に挿入された複数のキャリア信号を含み、第２の受信手段は、通過周波数帯域を変更可能に構成された可変フィルタ手段と、複数のキャリア信号を順次通過させるように可変フィルタ手段の通過周波数帯域を順次制御する制御手段と、可変フィルタ手段の出力からキャリア信号を順次検波する検波手段と、検波手段によるキャリア信号の検出結果から起動信号に含まれる情報を抽出する抽出手段とを備えるようにしてもよい。
この場合、キャリア信号の有無をデジタルデータに対応させることにより起動信号に含まれる情報を抽出することができるので、簡略な構成により種々の情報を起動信号として受信することができるとともに、一つの可変フィルタ手段及び検波手段を用いて複数のキャリア信号を検出することができるので、第２の受信手段の回路構成を簡略化することができる。
起動信号は、第１の受信手段が起動すべき時刻を特定するための時刻情報をさらに含み、第２の受信手段は、受信した起動信号に含まれる時刻情報を抽出して通電指示信号とともに通電制御手段へ出力し、通電制御手段は、時刻情報により特定される時刻に第１の受信手段への通電を行うことが好ましい。
この場合、受信した起動信号に含まれる時刻情報に応じて第１の受信手段への通電を行うことができるので、起動信号を送信した後の任意時刻においてスリープモードからパワーオンモードに切り替えることができる。
第１の受信手段は、特定周波数の通信信号を受信するチューナ部と、チューナ部により受信された信号を復調する復調部と、復調部により復調された信号を映像信号及び音声信号に変換する変換部と、チューナ部、復調部及び変換部の動作を制御する制御部とを備え、通電制御手段は、少なくとも第２の受信手段が起動信号を受信するまでは、チューナ部、復調部、変換部及び制御部への通電を停止することが好ましい。
この場合、スリープモード時において、チューナ部、復調部、変換部及び制御部への通電を停止することができるので、スリープモード時の消費電力を必要最低限に抑制することができる。
通電制御手段は、通電指示信号に応じて第１の受信手段への通電を行った後に、第２の受信手段への通電を停止することが好ましい。
この場合、パワーオンモード時において、消費電力を必要最小限に抑制することができる。
第２の受信手段は、通電制御手段により第１の受信手段への通電が行われている場合に、動作信号として特定周波数以外の周波数を用いて放送局装置から送信される停止信号を受信し、受信した停止信号に応じて通電制御信号として通電停止信号を通電制御手段へ出力し、通電制御手段は、通電停止信号に応じて第１の受信手段への通電を停止することが好ましい。
この場合、特定周波数以外の周波数を用いて放送局装置から送信される停止信号を第２の受信手段が受信して通電停止信号を出力し、通電停止信号に応答して第１の受信手段への通電を通電制御手段が停止させるので、ユーザが受信装置をパワーオンモードからスリープモードへ切り替えることを忘れたとき等において、受信装置を自動的にパワーオンモードからスリープモードへ切り替えることができ、受信装置の無駄な電力消費を防止することができる。
本発明の他の局面に従う表示装置は、受信装置と、受信装置により受信された放送画面を表示する表示手段とを備え、受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
この表示装置においては、第１の受信手段が受信する特定周波数以外の周波数を用いて放送局装置から送信される動作信号を第２の受信手段が受信し、受信された動作信号に応じて第２の受信手段が通電制御信号を出力し、通電制御信号に応じて通電制御手段が第１の受信手段へ通電を制御するので、通常の放送等に影響を与えることなく、任意の時刻に動作信号を放送局装置から送信することができるとともに、動作信号を用いて第１の受信手段の通電状態を制御することができ、任意の時刻において表示装置の電源状態を切り替えて消費電力を充分に低減することができる。
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
この場合、通電制御手段により第１の受信手段への通電が停止されている場合に、第１の受信手段が受信する特定周波数以外の周波数を用いて放送局装置から送信される起動信号を第２の受信手段が受信し、受信された起動信号に応じて第２の受信手段が通電指示信号を出力し、通電指示信号に応じて通電制御手段が第１の受信手段へ通電を行うので、放送を受信しないスリープモードにおける消費電力を充分に低減することができるとともに、任意の時刻においてスリープモードからパワーオンモードに切り替えるための起動信号を受信することができ、任意の時刻にスリープモードからパワーオンモードに切り替えることができる。
通電制御手段は、少なくとも第２の受信手段が起動信号を受信するまでは、第１の受信手段及び表示手段への通電を停止することが好ましい。
この場合、少なくとも第２の受信手段が起動信号を受信するまでは、第１の受信手段及び表示手段への通電を停止しているので、放送を受信しないスリープモードにおいて、第１の受信手段及び表示手段へ通電することなく、第２の受信手段へのみ通電すればよく、表示装置の消費電力を必要最低限に抑制することができる。
本発明の他の局面に従うテレビ放送システムは、特定周波数の信号を送信する放送局装置と、放送局装置から送信される信号を受信する複数の受信装置とを備えるテレビ放送システムであって、放送局装置は、特定周波数以外の周波数を用いて動作信号を受信装置へ送信し、受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
このテレビ放送システムにおいては、放送局装置が、第１の受信手段が受信する特定周波数以外の周波数を用いて動作信号を受信装置へ送信し、受信装置の第２の受信手段が動作信号を受信して通電制御信号を出力し、通電制御信号に応じて通電制御手段が第１の受信手段への通電を制御しているので、放送局装置は、通常の放送等に影響を与えることなく、任意の時刻に動作信号を送信することができるとともに、動作信号を用いて第１の受信手段の通電状態を制御することができ、任意の時刻において受信装置の電源状態を切り替えて消費電力を充分に低減することができる。
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
この場合、放送局装置が、第１の受信手段が受信する特定周波数以外の周波数を用いて起動信号を受信装置へ送信し、受信装置が、通電制御手段により第１の受信手段への通電が停止されているときに、第２の受信手段が起動信号を受信し、受信された起動信号に応じて第２の受信手段が通電指示信号を出力し、通電指示信号に応じて通電制御手段が第１の受信手段へ通電を行うので、受信装置では、放送を受信しないスリープモードにおいて、第１の受信手段へ通電することなく、第２の受信手段へのみ通電すればよく、受信装置の消費電力を必要最低限に抑制することができる。
また、起動信号として第１の受信手段が受信する特定周波数の信号、例えば、通常の放送に使用される周波数及び電子番組ガイド等の種々の情報を含む下りデータに使用される周波数以外の周波数の信号を用いているので、放送局装置は、通常の放送等に影響を与えることなく、任意の時刻に起動信号を送信することができ、受信装置を任意の時刻においてスリープモードからパワーオンモードに切り替えることができる。
【図面の簡単な説明】  図１は、本発明の一実施例によるヘッドエンドを用いたＣＡＴＶシステムの構成を示すブロック図である。
図２は、図１に示すセットトップボックスの構成の一例を示すブロック図である。
図３は、図２に示すスタンバイチューナの構成の一例を示すブロック図である。
図４は、米国におけるＣＡＴＶ放送に使用される放送信号の周波数帯域の一例を示す図である。
図５は、キャリア信号の他の例を示す図である。
図６は、図２に示すスタンバイチューナの他の例を示すブロック図である。
図７は、図２に示すスタンバイチューナのさらに他の例を示すブロック図である。
【発明を実施するための最良の形態】  以下、本発明の一実施例による受信装置としてＣＡＴＶシステムに用いられるヘッドエンドについて図面を参照しながら説明する。図１は、本発明の一実施例によるヘッドエンドを用いたＣＡＴＶシステムの構成を示すブロック図である。
図１に示すＣＡＴＶシステムは、デジタルメディアセンタ１、電波送信機２、放送衛星３、電波受信機４、衛星放送受信部５、コンテンツ部６、ビデオコンテンツ部７、インターネットコンテンツ部８、ＬＡＮ（Ｌｏｃａｌ  Ａｒｅａ  Ｎｅｔｗｏｒｋ）９、ヘッドエンド１０、条件付アクセスシステム１１、他のヘッドエンド１２、ＲＦ合成部１３、ケーブルネットワーク１４、セットトップボックス１５ａ〜１５ｎ、表示装置１６ａ〜１６ｎ及び一体型表示装置１７を備える。
デジタルメディアセンタ１は、電波送信機２を用いて種々のデジタル放送電波等を放送衛星３へ送信し、衛星放送受信部５は、放送衛星３により中継されたデジタル放送等を、電波受信機４を用いて受信する。
衛星放送受信部５、コンテンツ部６、ビデオコンテンツ部７、インターネットコンテンツ部８及びヘッドエンド１０は、ＬＡＮ９を介して相互に通信可能なように接続される。ヘッドエンド１０は、衛星放送受信部５からデジタル放送信号、ビデオコンテンツ部７からビデオ信号、インターネットコンテンツ部８からインタネットデータ信号、コンテンツ部６から他のコンテンツを含むコンテンツ信号等を受信し、アナログ放送チャンネル、デジタル放送チャンネル及び下りデータチャンネルを用いてアナログ放送信号、デジタル放送信号及び下りデータをＲＦ合成部１３へ送信する。また、ヘッドエンド１０は、条件付アクセスシステム１１からの制御に従い特定のユーザに対してＣＡＴＶサービスを行ったり、他のヘッドエンド１２からのコンテンツも利用したりする。
ＲＦ合成部１３と、複数のセットトップボックス１５ａ〜１５ｎ及び一体型表示装置１７とは、ケーブルネットワーク１４を介して相互に通信可能なように接続される。ＲＦ合成部１３は、デジタル放送信号、アナログ放送信号及び下りデータを合成して放送信号ＲＦを複数のセットトップボックス１５ａ〜１５ｎ及び一体型表示装置１７へ出力する。
一体型表示装置１７は、表示装置１６ａ等と同様に構成された表示部１８と、セットトップボックス１５ａ等と同様に構成された受信部１９とを一体に構成した表示装置であり、基本的に表示装置１６ａ及びセットトップボックス１５ａ等と同様に動作するので、以下の説明では、セットトップボックス１５ａ〜１５ｎ等について主に説明する。
各セットトップボックス１５ａ〜１５ｎは、受信したデジタル放送信号、アナログ放送信号及び下りデータの中からユーザが選択した番組又は情報等を、接続されている表示装置１６ａ〜１６ｎを用いて表示する。また、各セットトップボックス１５ａ〜１５ｎは、上りデータチャンネルを用いて上りデータをケーブルネットワーク１４及びＲＦ合成部１３を介してヘッドエンド１０へ送信する。
上記のように、ヘッドエンド１０とセットトップボックス１５ａ〜１５ｎとの間では、通常のＣＡＴＶ放送を受信するとともに、インタラクティブなデータ通信を行うために、予め定められたアナログ放送チャンネル、デジタル放送チャンネル、下りデータチャンネル及び上りデータチャンネルを用いて特定周波数のアナログ放送信号、デジタル放送信号、下りデータ及び上りデータが送受信される。
また、ヘッドエンド１０は、アナログ放送信号、デジタル放送信号、下りデータ及び上りデータ以外に、上記の特定周波数以外の周波数を用いて、セットトップボックス１５ａ〜１５ｎをスリープモードからパワーオンモードに切り替えるための起動信号ＡＳをＲＦ合成部１３及びケーブルネットワーク１４を介してセットトップボックス１５ａ〜１５ｎへ送信する。
図２は、図１に示すセットトップボックス１５ａ〜１５ｎの構成の一例を示すブロック図である。図２に示すセットトップボックス１５は、チューナ２１、復調部２２、ＡＶデータ処理部２３、マイコン（マイクロコンピュータ）２４、電源制御部２５、電源回路２６及びスタンバイチューナ２７を備える。なお、以下の説明では、デジタル放送信号の処理について主に説明するが、下りデータ及びアナログ放送信号についても通常の処理が行われる。
チューナ２１は、ＲＦ合成部１３及びケーブルネットワーク１４を介してヘッドエンド１０から送信されるデジタル放送信号ＲＦを受信して中間周波信号ＩＦに変換する。復調部２２は、中間周波信号ＩＦを復調してトランスポートストリームＴＳを出力する。ＡＶデータ処理部２３は、トランスポートストリームＴＳを変換して映像信号及び音声信号ＡＶを出力する。マイコン２４は、ユーザが操作するリモートコントローラ（図示省略）から出力される操作信号ＲＩ等に応じて、制御バスＣＢを介してチューナ２１、復調部２２及びＡＶデータ処理部２３の動作を制御するとともに、電源制御部２５の動作を制御する。
電源回路２６は、商用電源からセットトップボックス１５内で消費される電力を発生する。電源制御部２５は、ケーブル放送を受信できるパワーオンモード時に電源回路２６からチューナ２１、復調部２２、ＡＶデータ処理部２３及びマイコン２４へ電力を供給し、ケーブル放送を受信しないスリープモード時に電源回路２６からスタンバイチューナ２７へ電力を供給する。
スタンバイチューナ２７は、ＲＦ合成部１３及びケーブルネットワーク１４を介してヘッドエンド１０から送信される起動信号ＡＳを受信して通電指示信号ＤＳを電源制御部２５へ出力する。電源制御部２５は、通電指示信号ＤＳに応じてセットトップボックス１５の電力モードをスリープモードからパワーオンモードに切り替える。
図３は、図２に示すスタンバイチューナ２７の構成の一例を示すブロック図である。図３に示すスタンバイチューナ２７は、複数のキャリア検出部３１〜３ｋ及びデコーダ７１を備える。
キャリア検出部３１〜３ｋは、起動信号ＡＳとしてヘッドエンド１０から送信されるｋ個のキャリア信号Ｃ１〜Ｃｋ毎に設けられる。キャリア検出部３１は、ＢＰＦ（バンドパスフィルタ）４１、アンプ５１及びレベル検波器６１を含む。ＢＰＦ４１は、キャリア信号Ｃ１のみを通過させ、アンプ５１は、ＢＰＦ４１の出力を所定の増幅率で増幅し、レベル検波器６１は、増幅された信号が所定のレベル以上の場合に検出結果信号Ｄ１を出力する。他のキャリア検出部３２〜３ｋも、ＢＰＦ４２〜４ｋの通過帯域が異なる点を除き、上記と同様に構成され同様に動作する。
上記の構成により、キャリア検出部３１は、起動信号ＡＳ内にキャリア信号Ｃ１が含まれている場合、検出結果信号Ｄ１をハイレベル（論理“１”）で出力し、起動信号ＡＳ内にキャリア信号Ｃ１が含まれていない場合、検出結果信号Ｄ１をローレベル（論理“０”）で出力する。他のキャリア検出部３２〜３ｋも、同様に動作し、起動信号ＡＳ内にキャリア信号Ｃ２〜Ｃｋが含まれている場合、検出結果信号Ｄ２〜Ｄｋをハイレベル（論理“１”）で出力し、起動信号ＡＳ内にキャリア信号Ｃ２〜Ｃｋが含まれていない場合、検出結果信号Ｄ２〜Ｄｋをローレベル（論理“０”）で出力する。このようにして、キャリア検出部３１〜３ｋは、キャリア信号Ｃ１〜Ｃｋの有無に対応するｋビットのデジタルデータＤ１〜Ｄｋをデコーダ７１へ出力する。
デコーダ７１は、キャリア検出部３１〜３ｋから出力される検出結果信号Ｄ１〜Ｄｋをデコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。
ここで、キャリア信号Ｃ１〜Ｃｋについて詳細に説明する。図４は、米国におけるＣＡＴＶ放送に使用される放送信号の周波数帯域の一例を示す図である。米国におけるＣＡＴＶ放送では、図４の上段に示すように、上りデータチャンネルとして８〜２６．５ＭＨｚの周波数帯域ＲＣ、下りデータチャンネルとして７０〜１３０ＭＨｚの周波数帯域ＦＣ、アナログ放送チャンネルとして１３０〜４５０ＭＨｚの周波数帯域ＡＣ、及びデジタル放送チャンネルとして５５０〜８６４ＭＨｚの周波数帯域ＤＣが使用される。
また、図４の下段に示すように、周波数帯域ＡＣにおいて各アナログ放送チャンネルＢ１〜Ｂ６２として使用される周波数帯域と、周波数帯域ＤＣにおいて各デジタル放送チャンネルＢ６３〜Ｂ１２４として使用される周波数帯域は、斜線で示す約６ＭＨｚ帯域幅を有し、隣接するチャンネル間には未使用の周波数帯域がある。例えば、各チャンネル間の未使用の周波数帯域に起動信号としてキャリア信号Ｃ１〜Ｃ１２２が図示のように挿入される。
図５は、キャリア信号の他の例を示す図である。図５に示す例は、上りデータチャンネルに使用される８〜２６．５ＭＨｚの周波数帯域ＲＣより低い周波数帯域である０〜８ＭＨｚの周波数帯域にキャリア信号Ｃ１〜Ｃ６３を挿入し、デジタル放送チャンネルに使用される５５０〜８６４ＭＨｚの周波数帯域ＤＣより高い周波数帯域である８６４〜１０００ＭＨｚの周波数帯域にキャリア信号Ｃ６４〜Ｃ１２２を挿入した例である。
なお、キャリア信号が挿入される周波数帯域は、上記の例に特に限定されず、ＣＡＴＶ放送に使用される周波数帯域以外の周波数帯域であれば、他の周波数帯域に挿入してもよいし、ＣＡＴＶ放送に使用される周波数帯域であっても実際に使用されていない周波数帯域であれば、当該周波数帯域を用いてもよく、種々の変更が可能である。また、起動信号としてキャリア信号を用いることなく、他の信号を用いてもよい。
本実施例では、チューナ２１、復調部２２、ＡＶデータ処理部２３及びマイコン２４が第１の受信手段の一例に相当し、電源制御部２５及び電源回路２６が通電制御手段の一例に相当し、スタンバイチューナ２７が第２の受信手段の一例に相当する。また、キャリア検出部３１〜３ｋが検波手段の一例に相当し、デコーダ７１が抽出手段の一例に相当し、チューナ２１がチューナ部の一例に相当し、復調部２２が復調部の一例に相当し、ＡＶデータ処理部２３が変換部の一例に相当し、マイコン２４が制御部の一例に相当する。また、一体型表示装置１７が表示装置の一例に相当し、表示部１８が表示手段の一例に相当し、受信部１９が受信装置の一例に相当する。また、ヘッドエンド１０が放送局装置の一例に相当し、セットトップボックス１５ａ〜１５ｎが受信装置の一例に相当する。
次に、上記のように構成されたＣＡＴＶシステムの動作について詳細に説明する。まず、セットトップボックス１５ａ〜１５ｎが各セットトップボックスのシリアル番号等により複数のグループにグループ分けされており、このうちの特定のグループに属するセットトップボックスをスリープモードからパワーオンモードへ切り替える場合の動作の一例について説明する。
例えば、図１に示すセットトップボックス１５ａ〜１５ｎが各セットトップボックスのシリアル番号により２５６グループにグループ分けされている場合、キャリア信号Ｃ１〜Ｃ１２２の中から８個のキャリア信号を用いることにより、起動信号ＡＳとして８ビットデータを送信することができ、２５６グループを識別することができる。
一例として、第２５６番目のグループに属するセットトップボックスをスリープモードからパワーオンモードへ切り替える場合、ヘッドエンド１０は、起動信号ＡＳとして８個のキャリア信号Ｃ１〜Ｃ８全てをＲＦ合成部１３及びケーブルネットワーク１４を介してセットトップボックス１５へ出力する。ここで、図２に示すセットトップボックス１５が第２５６グループに属する場合、図３に示すキャリア検出部は８個のキャリア信号Ｃ１〜Ｃ８を検出する８個のキャリア検出部３１〜３８から構成され、デコーダ７１は複数のＡＮＤゲート等から構成され、８つの入力全てがハイレベルの場合（８ビットデータが“１，１，１，１，１，１，１，１”）のみ通電指示信号ＤＳをハイレベルで出力するように構成される。
このとき、セットトップボックス１５では、電源制御部２５により電源回路２６からチューナ２１、復調部２２、ＡＶデータ処理部２３及びマイコン２４へ電力供給が停止されており、スタンバイチューナ２７へのみ電力供給が行われている。したがって、スタンバイチューナ２７のキャリア検出部３１〜３８は、８個のキャリア信号Ｃ１〜Ｃ８を検出し、ハイレベルのデジタルデータＤ１〜Ｄ８をデコーダ７１へ出力する。デコーダ７１は、ハイレベルのデジタルデータＤ１〜Ｄ８をデコードして通電指示信号ＤＳを電源制御部２５へ出力する。
電源制御部２５は、通電指示信号ＤＳに応答して電力プロファイルを変更してチューナ２１、復調部２２、ＡＶデータ処理部２３及びマイコン２４への電力供給を開始して各部を起動させた後、電源回路２６からスタンバイチューナ２７への電力供給を停止する。この結果、セットトップボックス１５は、スリープモードからパワーオンモードへ切り替えられる。
このように、本実施例では、電源制御部２５によりチューナ２１、復調部２２、ＡＶデータ処理部２３及びマイコン２４への通電が停止されている場合に、チューナ２１が受信する特定周波数以外の周波数を用いてヘッドエンド１０から送信される起動信号ＡＳをスタンバイチューナ２７により受信し、起動信号ＡＳがセットトップボックス１５の属するグループに対する起動信号の場合、スタンバイチューナ２７が通電指示信号ＤＳを出力し、電源制御部２５が通電指示信号ＤＳに応答してチューナ２１、復調部２２、ＡＶデータ処理部２３及びマイコン２４へ通電を行うので、ケーブル放送を受信しないスリープモードにおいて、チューナ２１、復調部２２、ＡＶデータ処理部２３及びマイコン２４へ通電することなく、スタンバイチューナ２７へのみ通電すればよく、セットトップボックス１５の消費電力を必要最低限に抑制することができる。
また、起動信号ＡＳとしてチューナ２１が受信する上りデータチャンネル、下りデータチャンネル、アナログ放送チャンネル及びデジタル放送チャンネル以外の周波数帯域内のキャリア信号Ｃ１〜Ｃ８を用いているので、通常のケーブル放送及びインタラクティブ通信に影響を与えることなく、任意の時刻に起動信号ＡＳをヘッドエンド１０から送信することができ、任意の時刻において任意のグループに属するセットトップボックスをスリープモードからパワーオンモードに切り替えることができる。
また、グループ毎にセットトップボックスをスリープモードからパワーオンモードに切り替えることができるので、グループ毎に異なる時間帯で下りデータ等を送信することができ、ケーブルネットワーク１４のトラフィックを効率よく活用することができる。
なお、上記の説明では、特定のグループに属するセットトップボックスをスリープモードからパワーオンモードに切り替える場合について説明したが、キャリア信号の数は上記の例に特に限定されず、種々の変更が可能であり、１個のキャリア信号のみを用いてケーブルネットワーク１４に接続されている全てのセットトップボックスをスリープモードからパワーオンモードに切り替えたり、個々のセットトップボックスを特定可能な数のキャリア信号を用いてセットトップボックスを個別にスリープモードからパワーオンモードに切り替える等してもよい。
次に、上記のセットトップボックス１５を指定した時刻にスリープモードからパワーオンモードへ切り替える場合の動作の一例について説明する。例えば、０時〜２４時までの間で１時間間隔すなわち２４個の起動時間を設定する場合、キャリア信号Ｃ１〜Ｃ１２２の中からさらに５個のキャリア信号すなわち５ビットデータを用いることにより２４個の起動時間を表すことができ、起動信号ＡＳ内に起動時刻情報を重畳することができる。
この場合、ヘッドエンド１０は、起動信号ＡＳとして８個のキャリア信号Ｃ１〜Ｃ８に加えて、起動時刻情報を特定するための５個のキャリア信号Ｃ９〜Ｃ１３をＲＦ合成部１３及びケーブルネットワーク１４を介してセットトップボックス１５へ出力する。また、図３に示すキャリア検出部は、１３個のキャリア信号Ｃ１〜Ｃ１３を検出する１３個のキャリア検出部から構成され、デコーダ７１は、グループを特定するための８個のキャリア検出部の全てのデジタルデータＤ１〜Ｄ８がハイレベルの場合にのみ通電指示信号ＤＳを出力するとともに、残りの５個のキャリア検出部のデジタルデータＤ９〜Ｄ１３をデコードしてデジタルデータＤ９〜Ｄ１３により特定される起動時刻を表す起動時刻情報を出力するように構成される。
このとき、セットトップボックス１５では、電源制御部２５により電源回路２６からチューナ２１、復調部２２、ＡＶデータ処理部２３及びマイコン２４へ電力供給が停止されており、スタンバイチューナ２７へのみ電力供給が行われている。したがって、スタンバイチューナ２７のキャリア検出部は、８個のキャリア信号Ｃ１〜Ｃ８を検出してハイレベルのデジタルデータＤ１〜Ｄ８をデコーダ７１へ出力するとともに、５個のキャリア信号Ｃ９〜Ｃ１３の有無をデジタルデータＤ９〜Ｄ１３としてデコーダ７１へ出力する。デコーダ７１は、ハイレベルのデジタルデータＤ１〜Ｄ８をデコードして通電指示信号ＤＳを出力するとともに、デジタルデータＤ９〜Ｄ１３により特定される起動時刻情報を出力する。例えば、デコーダ７１は、デジタルデータＤ９〜Ｄ１３が“０，０，０，０，１”のときに起動時刻情報として１時を表す信号、“１，０，０，０，０”のときに起動時刻情報として１６時を表す信号を電源制御部２５へ出力する。
電源制御部２５は、通電指示信号ＤＳ及び起動時刻情報を受信し、内部の時計機能を参照して現在時刻が起動時刻情報になったときに、電力プロファイルを変更して電源回路２６からスタンバイチューナ２７への電力供給を停止するとともに、チューナ２１、復調部２２、ＡＶデータ処理部２３及びマイコン２４への電力供給を開始する。この結果、セットトップボックス１５は、ヘッドエンド１０により指令された起動時刻にスリープモードからパワーオンモードへ切り替えられる。
このように、上記の例では、受信した起動信号ＡＳに含まれる起動時刻情報に応じてチューナ２１、復調部２２、ＡＶデータ処理部２３及びマイコン２４への通電を行うことができるので、任意時刻においてスリープモードからパワーオンモードに切り替えることができる。
なお、時間情報は上記の例に特に限定されず、上記の起動時間情報の代わりに起動信号ＡＳが受信された時刻から起動すべき時刻までの遅延時間を特定するための遅延時間情報を送信してもよい。この場合、起動信号ＡＳを受信した時刻から遅延時間が経過した後にチューナ２１、復調部２２、ＡＶデータ処理部２３及びマイコン２４への通電を行うことができるので、起動信号を送信した後の任意時刻においてスリープモードからパワーオンモードに切り替えることができる。
また、遅延時間を予め決定することができる場合、当該遅延時間を計時可能なタイマをスタンバイチューナ２７又は電源制御部２５に予め設けることにより、遅延時間情報を含まない起動信号を送信してタイマを起動させ、遅延時間経過後にスリープモードからパワーオンモードに切り替えるようにしてもよい。
また、本実施例では、パワーオンモードにおいて、チューナ２１等への電力供給を開始して各部を起動させた後、電源回路２６からスタンバイチューナ２７への電力供給を停止したが、スタンバイチューナ２７へも電力供給を行うようにしてもよい。この場合、以下のようにして、セットトップボックス１５をパワーオンモードからスリープモードへ切り替えることができる。
例えば、セットトップボックスをパワーオンモードからスリープモードへ切り替えるための停止信号ＴＳであることを特定するためのビットを追加するため、キャリア信号Ｃ１〜Ｃ１２２の中からさらに１個のキャリア信号すなわち１ビットデータを用いることにより、当該ビットがハイレベルの場合にヘッドエンド１０から送信される信号が停止信号ＴＳであることを特定することができる。この場合、当該ビットがローレベルのときにヘッドエンド１０から送信される信号が起動信号ＡＳであることを特定するようにしてもよい。
まず、ヘッドエンド１０は、停止信号ＴＳとして８個のキャリア信号Ｃ１〜Ｃ８に加えて、当該信号が停止信号であることを特定するための１個のキャリア信号Ｃ９をＲＦ合成部１３及びケーブルネットワーク１４を介してセットトップボックス１５へ出力する。このとき、スタンバイチューナ２７へも電力が供給されているため、スタンバイチューナ２７は、ヘッドエンド１０からの停止信号ＴＳを受信することができる。
この場合、図３に示すキャリア検出部は、９個のキャリア信号Ｃ１〜Ｃ９を検出する９個のキャリア検出部から構成され、デコーダ７１は、グループを特定するための８個のキャリア検出部の全てのデジタルデータＤ１〜Ｄ８がハイレベル且つ停止信号であることを表す残りの１個のキャリア検出部のデジタルデータＤ９がハイレベルの場合にのみ通電停止信号ＳＳを出力する。
このとき、電源制御部２５は、通電停止信号ＳＳに応答して電源回路２６からチューナ２１、復調部２２、ＡＶデータ処理部２３及びマイコン２４への電力供給を停止し、スタンバイチューナ２７へのみ電力供給を継続する。したがって、セットトップボックス１５は、パワーオンモードからスリープモードへ切り替えられる。
このように、電源制御部２５によりチューナ２１、復調部２２、ＡＶデータ処理部２３及びマイコン２４だけでなく、スタンバイチューナ２７へも電力が供給されている場合、チューナ２１が受信する特定周波数以外の周波数を用いてヘッドエンド１０から送信される停止信号ＴＳをスタンバイチューナ２７により受信する。このとき、停止信号ＴＳがセットトップボックス１５の属するグループに対する停止信号の場合、スタンバイチューナ２７が通電停止信号ＳＳを出力し、電源制御部２５が通電停止信号ＳＳに応答してチューナ２１、復調部２２、ＡＶデータ処理部２３及びマイコン２４への通電を停止するので、セットトップボックス１５をパワーオンモードからスリープモードへ切り替えることができる。したがって、深夜にヘッドエンド１０によりセットトップボックス１５がスリープモードからパワーオンモードに切り替えられ、その後、ユーザがセットトップボックス１５をスリープモードへ切り替えることを忘れたとき等において、セットトップボックス１５を自動的にパワーオンモードからスリープモードへ切り替えることができ、セットトップボックス１５の無駄な電力消費を防止することができる。
なお、上記のようにセットトップボックス１５を自動的にパワーオンモードからスリープモードへ切り替える場合、自動的にスリープモードへ切り替える前にパワーオンモードからスリープモードへの切り替え許可を確認するための確認画面を表示装置に表示し、当該確認画面に対してユーザが所定の確認操作を行った場合にのみ、自動的にパワーオンモードからスリープモードへ切り替えるようにしてもよい。この場合、ユーザがセットトップボックス１５を使用してケーブル放送を視聴しているときに、自動的にスリープモードへ切り替えられることを防止することができる。
また、停止信号の特定方法は、上記の例に特に限定されず、種々の変更が可能であり、起動信号を用いない場合は停止信号を特定するビットを省略してもよい。
また、スリープモードからパワーオンモードに自動的に切り替えられた後に、パワーオンモードからスリープモードへ切り替える方法は、上記の停止信号を用いる例に特に限定されず、例えば、パワーオンモードへの切り替え時から所定時間が経過した後、又は、下りデータの循環量後に、電源制御部２５が自動的にパワーオンモードからスリープモードへ切り替えるようにしてもよい。
また、上記の各説明では、セットトップボックス１５の電源をオン又はオフしているが、電源状態の制御例はこの例に特に限定されず、供給する電力を段階的に増加又は減少させてもよく、この場合、消費電力を段階的に制御することができ、又は、所定の回路に順次電力を供給又は停止させてもよく、この場合、部分的に消費電力を制御することができる。
次に、図２に示すスタンバイチューナの他の構成例について説明する。図６は、図２に示すスタンバイチューナの他の例を示すブロック図である。図６に示すスタンバイチューナ２７ａは、複数のＢＰＦ４１〜４ｋ、スイッチ８１、アンプ８２、レベル検波器８３、スイッチ制御器８４及びデコーダ８５を備える。
ＢＰＦ４１〜４ｋは、起動信号ＡＳとしてヘッドエンド１０から送信されるｋ個のキャリア信号Ｃ１〜Ｃｋ毎に設けられ、ＢＰＦ４１はキャリア信号Ｃ１のみを通過させ、他のＢＰＦ４２〜４ｋも通過帯域が異なる点を除き、上記と同様に構成され同様に動作する。スイッチ８１は、スイッチ制御器８４に制御され、ＢＰＦ４１〜４ｋの各出力を切り替えて各出力を順次アンプ８２へ導く。アンプ８２は、ＢＰＦ４１〜４ｋの各出力を所定の増幅率で順次増幅し、レベル検波器８３は、増幅された各信号が所定のレベル以上の場合に検出結果信号Ｄ１〜Ｄｋを順次出力する。
また、スイッチ制御器８４は、スイッチ８１の切り替えタイミングに同期して、スイッチ８１が出力している信号がどのＢＰＦの信号であるかを特定するためのＢＰＦ特定信号をデコーダ８５へ出力する。デコーダ８５は、ＢＰＦ特定信号に応じてレベル検波器８３から出力される検出結果信号Ｄ１〜Ｄｋを順次デコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。本例において、ＢＰＦ４１〜４ｋがフィルタ手段の一例に相当し、スイッチ８１及びスイッチ制御器８４が選択手段の一例に相当し、アンプ８２及びレベル検波器８３が検波手段の一例に相当し、デコーダ８５が抽出手段の一例に相当する。
この場合、図３に示すスタンバイチューナ２７を用いた場合と同様の効果を奏することができるとともに、アンプ８２及びレベル検波器８３を複数のＢＰＦ４１〜４ｋで共用することができるので、スタンバイチューナ２７ａの回路構成を簡略化することができる。
図７は、図２に示すスタンバイチューナのさらに他の例を示すブロック図である。図７に示すスタンバイチューナ２７ｂは、可変ＢＰＦ９１、アンプ９２、レベル検波器９３、周波数制御器９４及びデコーダ９５を備える。
周波数制御器９４は、起動信号ＡＳとしてヘッドエンド１０から送信されるｋ個のキャリア信号Ｃ１〜Ｃｋの各周波数でキャリア信号を順次通過させるように可変ＢＰＦ９１の通過周波数帯域を順次制御する。可変ＢＰＦ９１は、通過周波数帯域を変更可能に構成され、周波数制御器９４に指定された周波数のキャリア信号のみを順次通過させる。アンプ９２は、可変ＢＰＦ９１の出力を所定の増幅率で順次増幅し、レベル検波器９３は、増幅された各信号が所定のレベル以上の場合に検出結果信号Ｄ１〜Ｄｋを順次出力する。
また、周波数制御器９４は、可変ＢＰＦ９１の通過周波数帯域切り替えタイミングに同期して、可変ＢＰＦ９１が出力している信号がどのキャリア信号であるかを特定するためのキャリア特定信号をデコーダ９５へ出力する。デコーダ９５は、キャリア特定信号に応じてレベル検波器９３から出力される検出結果信号Ｄ１〜Ｄｋを順次デコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。本例において、可変ＢＰＦ９１が可変フィルタ手段の一例に相当し、周波数制御器９４が制御手段の一例に相当し、アンプ９２及びレベル検波器９３が検波手段の一例に相当し、デコーダ９５が抽出手段の一例に相当する。
この場合、図３に示すスタンバイチューナ２７を用いた場合と同様の効果を奏することができるとともに、１個の可変ＢＰＦ９１、アンプ９２及びレベル検波器９３を用いてｋ個のキャリア信号Ｃ１〜Ｃｋを検出することができるので、スタンバイチューナ２７ｂの回路構成を簡略化することができる。
なお、上記の説明では、米国におけるＣＡＴＶシステムのセットトップボックスを例に説明したが、この例に特に限定されず、本発明は日本、欧州等の他国におけるＣＡＴＶシステムのセットトップボックスにも同様に適用することができ、同様の効果を得ることができる。
また、本発明が適用されるテレビ放送システムは、上記のＣＡＴＶシステムに特に限定されず、地上波放送、衛星放送等を送信するテレビ放送システム等にも同様に適用することができ、同様の効果を得ることができる。
【産業上の利用可能性】  上記のように、本発明によれば、任意の時刻において受信装置の電源状態を切り替えて消費電力を充分に低減することができ、放送局装置から放送信号を受信する受信装置、同装置を用いた表示装置及びテレビ放送システム等に好適に利用することができる。
【図１】
2004091212.tif 000003
【図２】
2004091212.tif 000004
【図３】
2004091212.tif 000005
【図４】
2004091212.tif 000006
【図５】
2004091212.tif 000007
【図６】
2004091212.tif 000008
【図７】
2004091212.tif 000009
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とする受信装置。
【請求項２】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１記載の受信装置。
【請求項３】
前記受信装置は、複数のグループの中から予め定められた一のグループに属し、
前記起動信号は、前記グループを特定するためのグループ特定情報を含み、
前記第２の受信手段は、当該第２の受信手段を備える受信装置が属するグループを特定するグループ特定情報を前記起動信号として受信した場合に、前記通電指示信号を前記通電制御手段へ出力することを特徴とする請求項２記載の受信装置。
【請求項４】
前記起動信号は、前記特定周波数の信号が使用していない未使用周波数帯域内に挿入された複数のキャリア信号を含み、
前記第２の受信手段は、
前記キャリア信号毎に当該キャリア信号を検波する複数の検波手段と、
前記複数の検波手段によるキャリア信号の検出結果から前記起動信号に含まれる情報を抽出する抽出手段とを備えることを特徴とする請求項３記載の受信装置。
【請求項５】
前記抽出手段は、前記グループ特定情報と前記複数の検波手段によるキャリア信号の検出結果から構成されるデジタルデータとが一致する場合に、前記通電指示信号を前記通電制御手段へ出力することを特徴とする請求項４記載の受信装置。
【請求項６】
前記起動信号は、前記特定周波数の信号が使用していない未使用周波数帯域内に挿入された複数のキャリア信号を含み、
前記第２の受信手段は、
前記キャリア信号毎に設けられ、当該キャリア信号を通過させる複数のフィルタ手段と、
前記複数のフィルタ手段の中から一のフィルタ手段の出力を順次選択して出力する選択手段と、
前記選択手段の出力からキャリア信号を順次検波する検波手段と、
前記検波手段によるキャリア信号の検出結果から前記起動信号に含まれる情報を抽出する抽出手段とを備えることを特徴とする請求項３記載の受信装置。
【請求項７】
前記起動信号は、前記特定周波数の信号が使用していない未使用周波数帯域内に挿入された複数のキャリア信号を含み、
前記第２の受信手段は、
通過周波数帯域を変更可能に構成された可変フィルタ手段と、
前記複数のキャリア信号を順次通過させるように前記可変フィルタ手段の通過周波数帯域を順次制御する制御手段と、
前記可変フィルタ手段の出力からキャリア信号を順次検波する検波手段と、
前記検波手段によるキャリア信号の検出結果から前記起動信号に含まれる情報を抽出する抽出手段とを備えることを特徴とする請求項３記載の受信装置。
【請求項８】
前記起動信号は、前記第１の受信手段が起動すべき時刻を特定するための時刻情報をさらに含み、
前記第２の受信手段は、受信した起動信号に含まれる時刻情報を抽出して前記通電指示信号とともに前記通電制御手段へ出力し、
前記通電制御手段は、前記時刻情報により特定される時刻に前記第１の受信手段への通電を行うことを特徴とする請求項２記載の受信装置。
【請求項９】
前記第１の受信手段は、
前記特定周波数の信号を受信するチューナ部と、
前記チューナ部により受信された信号を復調する復調部と、
前記復調部により復調された信号を映像信号及び音声信号に変換する変換部と、
前記チューナ部、前記復調部及び前記変換部の動作を制御する制御部とを備え、
前記通電制御手段は、少なくとも前記第２の受信手段が前記起動信号を受信するまでは、前記チューナ部、前記復調部、前記変換部及び前記制御部への通電を停止することを特徴とする請求項２記載の受信装置。
【請求項１０】
前記通電制御手段は、前記通電指示信号に応じて前記第１の受信手段への通電を行った後に、前記第２の受信手段への通電を停止することを特徴とする請求項２記載の受信装置。
【請求項１１】
前記第２の受信手段は、前記通電制御手段により前記第１の受信手段への通電が行われている場合に、前記動作信号として前記特定周波数以外の周波数を用いて放送局装置から送信される停止信号を受信し、受信した停止信号に応じて前記通電制御信号として通電停止信号を前記通電制御手段へ出力し、
前記通電制御手段は、前記通電停止信号に応じて前記第１の受信手段への通電を停止することを特徴とする請求項１記載の受信装置。
【請求項１２】
受信装置と、前記受信装置により受信された放送画面を表示する表示手段とを備え、
前記受信装置は、
放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とする表示装置。
【請求項１３】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１２記載の表示装置。
【請求項１４】
前記通電制御手段は、少なくとも前記第２の受信手段が起動信号を受信するまでは、前記第１の受信手段及び前記表示手段への通電を停止することを特徴とする請求項１３記載の表示装置。
【請求項１５】
特定周波数の信号を送信する放送局装置と、前記放送局装置から送信される信号を受信する複数の受信装置とを備えるテレビ放送システムであって、
前記放送局装置は、前記特定周波数以外の周波数を用いて動作信号を前記受信装置へ送信し、
前記受信装置は、
前記放送局装置から送信される特定周波数の信号を受信する第１の受信手段と、
前記第１の受信手段への通電を制御する通電制御手段と、
前記特定周波数以外の周波数を用いて放送局装置から送信される動作信号を受信する第２の受信手段とを備え、
前記第２の受信手段は、受信した動作信号に応じて通電制御信号を前記通電制御手段へ出力し、
前記通電制御手段は、前記通電制御信号に応じて前記第１の受信手段への通電を制御することを特徴とするテレビ放送システム。
【請求項１６】
前記第２の受信手段は、前記通電制御手段により前記第１の受信手段への通電が停止されている場合に、前記動作信号として前記特定周波数以外の周波数を用いて放送局装置から送信される起動信号を受信し、受信した起動信号に応じて前記通電制御信号として通電指示信号を前記通電制御手段へ出力し、
前記通電制御手段は、前記通電指示信号に応じて前記第１の受信手段への通電を行うことを特徴とする請求項１５記載のテレビ放送システム。
【手続補正２】
【補正対象書類名】明細書
【補正対象項目名】全文
【補正方法】変更
【補正の内容】
【発明の詳細な説明】
【技術分野】
【０００１】
本発明は、放送局装置から放送信号を受信する受信装置、同装置を用いた表示装置及びテレビ放送システム、例えば、ＣＡＴＶ（ケーブル・テレビ）局のヘッドエンド装置から放送信号を受信する受信装置、同装置を用いた表示装置及びＣＡＴＶシステムに関するものである。
【背景技術】
【０００２】
米国においては多数のチャンネルの放送が可能なＣＡＴＶシステムが普及し、また、放送方式のデジタル化に伴い高画質な放送を多数のチャンネルで行うことが可能になってきている。このようなＣＡＴＶシステムとして、例えば、特許文献１には、受信装置である端末機における省電力化を図るため、下りデータを送信するヘッドエンドと、このヘッドエンドから送信される下りデータを受信する端末機を備え、端末機がチューナ、復調回路、ＣＰＵ（中央演算処理装置）及びスイッチ回路を有し、ＣＰＵが所定の時間帯にスイッチ回路をオンさせてチューナ及び復調回路に通電を行うＣＡＴＶシステムが開示されている。
【特許文献１】特開２００２−３０８０３０号公報
【発明の開示】
【発明が解決しようとする課題】
【０００３】
しかしながら、上記の端末機では、ＣＰＵによりスイッチ回路のオン及びオフを切り替える必要があり、ケーブル放送を受信しないスリープモード時にもＣＰＵに対して通電する必要があり、端末機のスリープモード時の消費電力を充分に低減することができない。
【０００４】
また、スイッチ回路をオン又はオフするための下りデータは、端末機がパワーオンモード時すなわち通電状態にあるときにヘッドエンドから送信される必要があり、スイッチ回路をオン又はオフするための下りデータを任意の時刻に送信することができない。
【０００５】
本発明の目的は、任意の時刻において電源状態を切り替えて消費電力を充分に低減することができる受信装置、同装置を用いた表示装置及びテレビ放送システムを提供することである。
【０００６】
本発明の他の目的は、スリープモードにおける消費電力を充分に低減することができるとともに、任意の時刻においてスリープモードからパワーオンモードに切り替えるための起動信号を受信することができる受信装置、同装置を用いた表示装置及びテレビ放送システムを提供することである。
【課題を解決するための手段】
【０００７】
本発明の一局面に従う受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
【０００８】
この受信装置においては、第１の受信手段が受信する特定周波数以外の周波数を用いて放送局装置から送信される動作信号を第２の受信手段が受信し、受信された動作信号に応じて第２の受信手段が通電制御信号を出力し、通電制御信号に応じて通電制御手段が第１の受信手段への通電を制御しているので、通常の放送等に影響を与えることなく、任意の時刻に動作信号を放送局装置から送信することができるとともに、動作信号を用いて第１の受信手段の通電状態を制御することができ、任意の時刻において受信装置の電源状態を切り替えて消費電力を充分に低減することができる。
【０００９】
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
【００１０】
この場合、通電制御手段により第１の受信手段への通電が停止されている場合に、第１の受信手段が受信する特定周波数以外の周波数を用いて放送局装置から送信される起動信号を第２の受信手段が受信し、受信された起動信号に応じて第２の受信手段が通電指示信号を出力し、通電指示信号に応じて通電制御手段が第１の受信手段へ通電を行うので、放送を受信しないスリープモードにおいて、第１の受信手段へ通電することなく、第２の受信手段へのみ通電すればよく、受信装置の消費電力を必要最低限に抑制することができる。
【００１１】
また、起動信号として第１の受信手段が受信する特定周波数の信号、例えば、通常の放送に使用される周波数及び電子番組ガイド等の種々の情報を含む下りデータに使用される周波数以外の周波数の信号を用いているので、通常の放送等に影響を与えることなく、任意の時刻に起動信号を放送局装置から送信することができる。
【００１２】
この結果、放送を受信しないスリープモードにおける消費電力を充分に低減することができるとともに、任意の時刻においてスリープモードからパワーオンモードに切り替えるための起動信号を受信することができ、任意の時刻にスリープモードからパワーオンモードに切り替えることができる。
【００１３】
受信装置は、複数のグループの中から予め定められた一のグループに属し、起動信号は、グループを特定するためのグループ特定情報を含み、第２の受信手段は、当該第２の受信手段を備える受信装置が属するグループを特定するグループ特定情報を起動信号として受信した場合に、通電指示信号を通電制御手段へ出力することが好ましい。
【００１４】
この場合、グループ毎に受信装置をスリープモードからパワーオンモードに切り替えることができるので、例えば、グループ毎に異なる時間帯で下りデータ等を送信することができ、ケーブルネットワークのトラフィックを効率よく活用することができる。
【００１５】
起動信号は、特定周波数の通信信号が使用していない未使用周波数帯域内に挿入された複数のキャリア信号を含み、第２の受信手段は、キャリア信号毎に当該キャリア信号を検波する複数の検波手段と、複数の検波手段によるキャリア信号の検出結果から起動信号に含まれる情報を抽出する抽出手段とを備えることが好ましい。
【００１６】
この場合、キャリア信号の有無をデジタルデータに対応させることにより起動信号に含まれる情報を抽出することができるので、簡略な構成により種々の情報を起動信号として受信することができる。
【００１７】
抽出手段は、グループ特定情報と複数の検波手段によるキャリア信号の検出結果から構成されるデジタルデータとが一致する場合に、通電指示信号を通電制御手段へ出力することが好ましい。
【００１８】
この場合、グループ特定情報に応じて第１の受信手段への通電を行うことができるので、受信装置が属するグループ毎にスリープモードからパワーオンモードに切り替わる時刻を任意に設定することができる。
【００１９】
起動信号は、特定周波数の信号が使用していない未使用周波数帯域内に挿入された複数のキャリア信号を含み、第２の受信手段は、キャリア信号毎に設けられ、当該キャリア信号を通過させる複数のフィルタ手段と、複数のフィルタ手段の中から一のフィルタ手段の出力を順次選択して出力する選択手段と、選択手段の出力からキャリア信号を順次検波する検波手段と、検波手段によるキャリア信号の検出結果から起動信号に含まれる情報を抽出する抽出手段とを備えるようにしてもよい。
【００２０】
この場合、キャリア信号の有無をデジタルデータに対応させることにより起動信号に含まれる情報を抽出することができるので、簡略な構成により種々の情報を起動信号として受信することができるとともに、一つの検波手段を複数のフィルタ手段で共用することができるので、第２の受信手段の回路構成を簡略化することができる。
【００２１】
起動信号は、特定周波数の信号が使用していない未使用周波数帯域内に挿入された複数のキャリア信号を含み、第２の受信手段は、通過周波数帯域を変更可能に構成された可変フィルタ手段と、複数のキャリア信号を順次通過させるように可変フィルタ手段の通過周波数帯域を順次制御する制御手段と、可変フィルタ手段の出力からキャリア信号を順次検波する検波手段と、検波手段によるキャリア信号の検出結果から起動信号に含まれる情報を抽出する抽出手段とを備えるようにしてもよい。
【００２２】
この場合、キャリア信号の有無をデジタルデータに対応させることにより起動信号に含まれる情報を抽出することができるので、簡略な構成により種々の情報を起動信号として受信することができるとともに、一つの可変フィルタ手段及び検波手段を用いて複数のキャリア信号を検出することができるので、第２の受信手段の回路構成を簡略化することができる。
【００２３】
起動信号は、第１の受信手段が起動すべき時刻を特定するための時刻情報をさらに含み、第２の受信手段は、受信した起動信号に含まれる時刻情報を抽出して通電指示信号とともに通電制御手段へ出力し、通電制御手段は、時刻情報により特定される時刻に第１の受信手段への通電を行うことが好ましい。
【００２４】
この場合、受信した起動信号に含まれる時刻情報に応じて第１の受信手段への通電を行うことができるので、起動信号を送信した後の任意時刻においてスリープモードからパワーオンモードに切り替えることができる。
【００２５】
第１の受信手段は、特定周波数の通信信号を受信するチューナ部と、チューナ部により受信された信号を復調する復調部と、復調部により復調された信号を映像信号及び音声信号に変換する変換部と、チューナ部、復調部及び変換部の動作を制御する制御部とを備え、通電制御手段は、少なくとも第２の受信手段が起動信号を受信するまでは、チューナ部、復調部、変換部及び制御部への通電を停止することが好ましい。
【００２６】
この場合、スリープモード時において、チューナ部、復調部、変換部及び制御部への通電を停止することができるので、スリープモード時の消費電力を必要最低限に抑制することができる。
【００２７】
通電制御手段は、通電指示信号に応じて第１の受信手段への通電を行った後に、第２の受信手段への通電を停止することが好ましい。
【００２８】
この場合、パワーオンモード時において、消費電力を必要最小限に抑制することができる。
【００２９】
第２の受信手段は、通電制御手段により第１の受信手段への通電が行われている場合に、動作信号として特定周波数以外の周波数を用いて放送局装置から送信される停止信号を受信し、受信した停止信号に応じて通電制御信号として通電停止信号を通電制御手段へ出力し、通電制御手段は、通電停止信号に応じて第１の受信手段への通電を停止することが好ましい。
【００３０】
この場合、特定周波数以外の周波数を用いて放送局装置から送信される停止信号を第２の受信手段が受信して通電停止信号を出力し、通電停止信号に応答して第１の受信手段への通電を通電制御手段が停止させるので、ユーザが受信装置をパワーオンモードからスリープモードへ切り替えることを忘れたとき等において、受信装置を自動的にパワーオンモードからスリープモードへ切り替えることができ、受信装置の無駄な電力消費を防止することができる。
【００３１】
本発明の他の局面に従う表示装置は、受信装置と、受信装置により受信された放送画面を表示する表示手段とを備え、受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
【００３２】
この表示装置においては、第１の受信手段が受信する特定周波数以外の周波数を用いて放送局装置から送信される動作信号を第２の受信手段が受信し、受信された動作信号に応じて第２の受信手段が通電制御信号を出力し、通電制御信号に応じて通電制御手段が第１の受信手段へ通電を制御するので、通常の放送等に影響を与えることなく、任意の時刻に動作信号を放送局装置から送信することができるとともに、動作信号を用いて第１の受信手段の通電状態を制御することができ、任意の時刻において表示装置の電源状態を切り替えて消費電力を充分に低減することができる。
【００３３】
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
【００３４】
この場合、通電制御手段により第１の受信手段への通電が停止されている場合に、第１の受信手段が受信する特定周波数以外の周波数を用いて放送局装置から送信される起動信号を第２の受信手段が受信し、受信された起動信号に応じて第２の受信手段が通電指示信号を出力し、通電指示信号に応じて通電制御手段が第１の受信手段へ通電を行うので、放送を受信しないスリープモードにおける消費電力を充分に低減することができるとともに、任意の時刻においてスリープモードからパワーオンモードに切り替えるための起動信号を受信することができ、任意の時刻にスリープモードからパワーオンモードに切り替えることができる。
【００３５】
通電制御手段は、少なくとも第２の受信手段が起動信号を受信するまでは、第１の受信手段及び表示手段への通電を停止することが好ましい。
【００３６】
この場合、少なくとも第２の受信手段が起動信号を受信するまでは、第１の受信手段及び表示手段への通電を停止しているので、放送を受信しないスリープモードにおいて、第１の受信手段及び表示手段へ通電することなく、第２の受信手段へのみ通電すればよく、表示装置の消費電力を必要最低限に抑制することができる。
【００３７】
本発明の他の局面に従うテレビ放送システムは、特定周波数の信号を送信する放送局装置と、放送局装置から送信される信号を受信する複数の受信装置とを備えるテレビ放送システムであって、放送局装置は、特定周波数以外の周波数を用いて動作信号を受信装置へ送信し、受信装置は、放送局装置から送信される特定周波数の信号を受信する第１の受信手段と、第１の受信手段への通電を制御する通電制御手段と、特定周波数以外の周波数を用いて放送局装置から送信される動作信号を受信する第２の受信手段とを備え、第２の受信手段は、受信した動作信号に応じて通電制御信号を通電制御手段へ出力し、通電制御手段は、通電制御信号に応じて第１の受信手段への通電を制御するものである。
【００３８】
このテレビ放送システムにおいては、放送局装置が、第１の受信手段が受信する特定周波数以外の周波数を用いて動作信号を受信装置へ送信し、受信装置の第２の受信手段が動作信号を受信して通電制御信号を出力し、通電制御信号に応じて通電制御手段が第１の受信手段への通電を制御しているので、放送局装置は、通常の放送等に影響を与えることなく、任意の時刻に動作信号を送信することができるとともに、動作信号を用いて第１の受信手段の通電状態を制御することができ、任意の時刻において受信装置の電源状態を切り替えて消費電力を充分に低減することができる。
【００３９】
第２の受信手段は、通電制御手段により第１の受信手段への通電が停止されている場合に、動作信号として特定周波数以外の周波数を用いて放送局装置から送信される起動信号を受信し、受信した起動信号に応じて通電制御信号として通電指示信号を通電制御手段へ出力し、通電制御手段は、通電指示信号に応じて第１の受信手段への通電を行うことが好ましい。
【００４０】
この場合、放送局装置が、第１の受信手段が受信する特定周波数以外の周波数を用いて起動信号を受信装置へ送信し、受信装置が、通電制御手段により第１の受信手段への通電が停止されているときに、第２の受信手段が起動信号を受信し、受信された起動信号に応じて第２の受信手段が通電指示信号を出力し、通電指示信号に応じて通電制御手段が第１の受信手段へ通電を行うので、受信装置では、放送を受信しないスリープモードにおいて、第１の受信手段へ通電することなく、第２の受信手段へのみ通電すればよく、受信装置の消費電力を必要最低限に抑制することができる。
【００４１】
また、起動信号として第１の受信手段が受信する特定周波数の信号、例えば、通常の放送に使用される周波数及び電子番組ガイド等の種々の情報を含む下りデータに使用される周波数以外の周波数の信号を用いているので、放送局装置は、通常の放送等に影響を与えることなく、任意の時刻に起動信号を送信することができ、受信装置を任意の時刻においてスリープモードからパワーオンモードに切り替えることができる。
【発明の効果】
【００４２】
本発明によれば、第１の受信手段が受信する特定周波数以外の周波数を用いて放送局装置から送信される動作信号を第２の受信手段が受信し、受信された動作信号に応じて第２の受信手段が通電制御信号を出力し、通電制御信号に応じて通電制御手段が第１の受信手段への通電を制御しているので、通常の放送等に影響を与えることなく、任意の時刻に動作信号を放送局装置から送信することができるとともに、動作信号を用いて第１の受信手段の通電状態を制御することができ、任意の時刻において受信装置の電源状態を切り替えて消費電力を充分に低減することができる。
【発明を実施するための最良の形態】
【００４３】
以下、本発明の一実施例による受信装置としてＣＡＴＶシステムに用いられるヘッドエンドについて図面を参照しながら説明する。図１は、本発明の一実施例によるヘッドエンドを用いたＣＡＴＶシステムの構成を示すブロック図である。
【００４４】
図１に示すＣＡＴＶシステムは、デジタルメディアセンタ１、電波送信機２、放送衛星３、電波受信機４、衛星放送受信部５、コンテンツ部６、ビデオコンテンツ部７、インターネットコンテンツ部８、ＬＡＮ（Local Area Network）９、ヘッドエンド１０、条件付アクセスシステム１１、他のヘッドエンド１２、ＲＦ合成部１３、ケーブルネットワーク１４、セットトップボックス１５ａ〜１５ｎ、表示装置１６ａ〜１６ｎ及び一体型表示装置１７を備える。
【００４５】
デジタルメディアセンタ１は、電波送信機２を用いて種々のデジタル放送電波等を放送衛星３へ送信し、衛星放送受信部５は、放送衛星３により中継されたデジタル放送等を、電波受信機４を用いて受信する。
【００４６】
衛星放送受信部５、コンテンツ部６、ビデオコンテンツ部７、インターネットコンテンツ部８及びヘッドエンド１０は、ＬＡＮ９を介して相互に通信可能なように接続される。ヘッドエンド１０は、衛星放送受信部５からデジタル放送信号、ビデオコンテンツ部７からビデオ信号、インターネットコンテンツ部８からインタネットデータ信号、コンテンツ部６から他のコンテンツを含むコンテンツ信号等を受信し、アナログ放送チャンネル、デジタル放送チャンネル及び下りデータチャンネルを用いてアナログ放送信号、デジタル放送信号及び下りデータをＲＦ合成部１３へ送信する。また、ヘッドエンド１０は、条件付アクセスシステム１１からの制御に従い特定のユーザに対してＣＡＴＶサービスを行ったり、他のヘッドエンド１２からのコンテンツも利用したりする。
【００４７】
ＲＦ合成部１３と、複数のセットトップボックス１５ａ〜１５ｎ及び一体型表示装置１７とは、ケーブルネットワーク１４を介して相互に通信可能なように接続される。ＲＦ合成部１３は、デジタル放送信号、アナログ放送信号及び下りデータを合成して放送信号ＲＦを複数のセットトップボックス１５ａ〜１５ｎ及び一体型表示装置１７へ出力する。
【００４８】
一体型表示装置１７は、表示装置１６ａ等と同様に構成された表示部１８と、セットトップボックス１５ａ等と同様に構成された受信部１９とを一体に構成した表示装置であり、基本的に表示装置１６ａ及びセットトップボックス１５ａ等と同様に動作するので、以下の説明では、セットトップボックス１５ａ〜１５ｎ等について主に説明する。
【００４９】
各セットトップボックス１５ａ〜１５ｎは、受信したデジタル放送信号、アナログ放送信号及び下りデータの中からユーザが選択した番組又は情報等を、接続されている表示装置１６ａ〜１６ｎを用いて表示する。また、各セットトップボックス１５ａ〜１５ｎは、上りデータチャンネルを用いて上りデータをケーブルネットワーク１４及びＲＦ合成部１３を介してヘッドエンド１０へ送信する。
【００５０】
上記のように、ヘッドエンド１０とセットトップボックス１５ａ〜１５ｎとの間では、通常のＣＡＴＶ放送を受信するとともに、インタラクティブなデータ通信を行うために、予め定められたアナログ放送チャンネル、デジタル放送チャンネル、下りデータチャンネル及び上りデータチャンネルを用いて特定周波数のアナログ放送信号、デジタル放送信号、下りデータ及び上りデータが送受信される。
【００５１】
また、ヘッドエンド１０は、アナログ放送信号、デジタル放送信号、下りデータ及び上りデータ以外に、上記の特定周波数以外の周波数を用いて、セットトップボックス１５ａ〜１５ｎをスリープモードからパワーオンモードに切り替えるための起動信号ＡＳをＲＦ合成部１３及びケーブルネットワーク１４を介してセットトップボックス１５ａ〜１５ｎへ送信する。
【００５２】
図２は、図１に示すセットトップボックス１５ａ〜１５ｎの構成の一例を示すブロック図である。図２に示すセットトップボックス１５は、チューナ２１、復調部２２、ＡＶデータ処理部２３、マイコン（マイクロコンピュータ）２４、電源制御部２５、電源回路２６及びスタンバイチューナ２７を備える。なお、以下の説明では、デジタル放送信号の処理について主に説明するが、下りデータ及びアナログ放送信号についても通常の処理が行われる。
【００５３】
チューナ２１は、ＲＦ合成部１３及びケーブルネットワーク１４を介してヘッドエンド１０から送信されるデジタル放送信号ＲＦを受信して中間周波信号ＩＦに変換する。復調部２２は、中間周波信号ＩＦを復調してトランスポートストリームＴＳを出力する。ＡＶデータ処理部２３は、トランスポートストリームＴＳを変換して映像信号及び音声信号ＡＶを出力する。マイコン２４は、ユーザが操作するリモートコントローラ（図示省略）から出力される操作信号ＲＩ等に応じて、制御バスＣＢを介してチューナ２１、復調部２２及びＡＶデータ処理部２３の動作を制御するとともに、電源制御部２５の動作を制御する。
【００５４】
電源回路２６は、商用電源からセットトップボックス１５内で消費される電力を発生する。電源制御部２５は、ケーブル放送を受信できるパワーオンモード時に電源回路２６からチューナ２１、復調部２２、ＡＶデータ処理部２３及びマイコン２４へ電力を供給し、ケーブル放送を受信しないスリープモード時に電源回路２６からスタンバイチューナ２７へ電力を供給する。
【００５５】
スタンバイチューナ２７は、ＲＦ合成部１３及びケーブルネットワーク１４を介してヘッドエンド１０から送信される起動信号ＡＳを受信して通電指示信号ＤＳを電源制御部２５へ出力する。電源制御部２５は、通電指示信号ＤＳに応じてセットトップボックス１５の電力モードをスリープモードからパワーオンモードに切り替える。
【００５６】
図３は、図２に示すスタンバイチューナ２７の構成の一例を示すブロック図である。図３に示すスタンバイチューナ２７は、複数のキャリア検出部３１〜３ｋ及びデコーダ７１を備える。
【００５７】
キャリア検出部３１〜３ｋは、起動信号ＡＳとしてヘッドエンド１０から送信されるｋ個のキャリア信号Ｃ１〜Ｃｋ毎に設けられる。キャリア検出部３１は、ＢＰＦ（バンドパスフィルタ）４１、アンプ５１及びレベル検波器６１を含む。ＢＰＦ４１は、キャリア信号Ｃ１のみを通過させ、アンプ５１は、ＢＰＦ４１の出力を所定の増幅率で増幅し、レベル検波器６１は、増幅された信号が所定のレベル以上の場合に検出結果信号Ｄ１を出力する。他のキャリア検出部３２〜３ｋも、ＢＰＦ４２〜４ｋの通過帯域が異なる点を除き、上記と同様に構成され同様に動作する。
【００５８】
上記の構成により、キャリア検出部３１は、起動信号ＡＳ内にキャリア信号Ｃ１が含まれている場合、検出結果信号Ｄ１をハイレベル（論理“１”）で出力し、起動信号ＡＳ内にキャリア信号Ｃ１が含まれていない場合、検出結果信号Ｄ１をローレベル（論理“０”）で出力する。他のキャリア検出部３２〜３ｋも、同様に動作し、起動信号ＡＳ内にキャリア信号Ｃ２〜Ｃｋが含まれている場合、検出結果信号Ｄ２〜Ｄｋをハイレベル（論理“１”）で出力し、起動信号ＡＳ内にキャリア信号Ｃ２〜Ｃｋが含まれていない場合、検出結果信号Ｄ２〜Ｄｋをローレベル（論理“０”）で出力する。このようにして、キャリア検出部３１〜３ｋは、キャリア信号Ｃ１〜Ｃｋの有無に対応するｋビットのデジタルデータＤ１〜Ｄｋをデコーダ７１へ出力する。
【００５９】
デコーダ７１は、キャリア検出部３１〜３ｋから出力される検出結果信号Ｄ１〜Ｄｋをデコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。
【００６０】
ここで、キャリア信号Ｃ１〜Ｃｋについて詳細に説明する。図４は、米国におけるＣＡＴＶ放送に使用される放送信号の周波数帯域の一例を示す図である。米国におけるＣＡＴＶ放送では、図４の上段に示すように、上りデータチャンネルとして８〜２６．５ＭＨｚの周波数帯域ＲＣ、下りデータチャンネルとして７０〜１３０ＭＨｚの周波数帯域ＦＣ、アナログ放送チャンネルとして１３０〜４５０ＭＨｚの周波数帯域ＡＣ、及びデジタル放送チャンネルとして５５０〜８６４ＭＨｚの周波数帯域ＤＣが使用される。
【００６１】
また、図４の下段に示すように、周波数帯域ＡＣにおいて各アナログ放送チャンネルＢ１〜Ｂ６２として使用される周波数帯域と、周波数帯域ＤＣにおいて各デジタル放送チャンネルＢ６３〜Ｂ１２４として使用される周波数帯域は、斜線で示す約６ＭＨｚ帯域幅を有し、隣接するチャンネル間には未使用の周波数帯域がある。例えば、各チャンネル間の未使用の周波数帯域に起動信号としてキャリア信号Ｃ１〜Ｃ１２２が図示のように挿入される。
【００６２】
図５は、キャリア信号の他の例を示す図である。図５に示す例は、上りデータチャンネルに使用される８〜２６．５ＭＨｚの周波数帯域ＲＣより低い周波数帯域である０〜８ＭＨｚの周波数帯域にキャリア信号Ｃ１〜Ｃ６３を挿入し、デジタル放送チャンネルに使用される５５０〜８６４ＭＨｚの周波数帯域ＤＣより高い周波数帯域である８６４〜１０００ＭＨｚの周波数帯域にキャリア信号Ｃ６４〜Ｃ１２２を挿入した例である。
【００６３】
なお、キャリア信号が挿入される周波数帯域は、上記の例に特に限定されず、ＣＡＴＶ放送に使用される周波数帯域以外の周波数帯域であれば、他の周波数帯域に挿入してもよいし、ＣＡＴＶ放送に使用される周波数帯域であっても実際に使用されていない周波数帯域であれば、当該周波数帯域を用いてもよく、種々の変更が可能である。また、起動信号としてキャリア信号を用いることなく、他の信号を用いてもよい。
【００６４】
本実施例では、チューナ２１、復調部２２、ＡＶデータ処理部２３及びマイコン２４が第１の受信手段の一例に相当し、電源制御部２５及び電源回路２６が通電制御手段の一例に相当し、スタンバイチューナ２７が第２の受信手段の一例に相当する。また、キャリア検出部３１〜３ｋが検波手段の一例に相当し、デコーダ７１が抽出手段の一例に相当し、チューナ２１がチューナ部の一例に相当し、復調部２２が復調部の一例に相当し、ＡＶデータ処理部２３が変換部の一例に相当し、マイコン２４が制御部の一例に相当する。また、一体型表示装置１７が表示装置の一例に相当し、表示部１８が表示手段の一例に相当し、受信部１９が受信装置の一例に相当する。また、ヘッドエンド１０が放送局装置の一例に相当し、セットトップボックス１５ａ〜１５ｎが受信装置の一例に相当する。
【００６５】
次に、上記のように構成されたＣＡＴＶシステムの動作について詳細に説明する。まず、セットトップボックス１５ａ〜１５ｎが各セットトップボックスのシリアル番号等により複数のグループにグループ分けされており、このうちの特定のグループに属するセットトップボックスをスリープモードからパワーオンモードへ切り替える場合の動作の一例について説明する。
【００６６】
例えば、図１に示すセットトップボックス１５ａ〜１５ｎが各セットトップボックスのシリアル番号により２５６グループにグループ分けされている場合、キャリア信号Ｃ１〜Ｃ１２２の中から８個のキャリア信号を用いることにより、起動信号ＡＳとして８ビットデータを送信することができ、２５６グループを識別することができる。
【００６７】
一例として、第２５６番目のグループに属するセットトップボックスをスリープモードからパワーオンモードへ切り替える場合、ヘッドエンド１０は、起動信号ＡＳとして８個のキャリア信号Ｃ１〜Ｃ８全てをＲＦ合成部１３及びケーブルネットワーク１４を介してセットトップボックス１５へ出力する。ここで、図２に示すセットトップボックス１５が第２５６グループに属する場合、図３に示すキャリア検出部は８個のキャリア信号Ｃ１〜Ｃ８を検出する８個のキャリア検出部３１〜３８から構成され、デコーダ７１は複数のＡＮＤゲート等から構成され、８つの入力全てがハイレベルの場合（８ビットデータが“１，１，１，１，１，１，１，１”）のみ通電指示信号ＤＳをハイレベルで出力するように構成される。
【００６８】
このとき、セットトップボックス１５では、電源制御部２５により電源回路２６からチューナ２１、復調部２２、ＡＶデータ処理部２３及びマイコン２４へ電力供給が停止されており、スタンバイチューナ２７へのみ電力供給が行われている。したがって、スタンバイチューナ２７のキャリア検出部３１〜３８は、８個のキャリア信号Ｃ１〜Ｃ８を検出し、ハイレベルのデジタルデータＤ１〜Ｄ８をデコーダ７１へ出力する。デコーダ７１は、ハイレベルのデジタルデータＤ１〜Ｄ８をデコードして通電指示信号ＤＳを電源制御部２５へ出力する。
【００６９】
電源制御部２５は、通電指示信号ＤＳに応答して電力プロファイルを変更してチューナ２１、復調部２２、ＡＶデータ処理部２３及びマイコン２４への電力供給を開始して各部を起動させた後、電源回路２６からスタンバイチューナ２７への電力供給を停止する。この結果、セットトップボックス１５は、スリープモードからパワーオンモードへ切り替えられる。
【００７０】
このように、本実施例では、電源制御部２５によりチューナ２１、復調部２２、ＡＶデータ処理部２３及びマイコン２４への通電が停止されている場合に、チューナ２１が受信する特定周波数以外の周波数を用いてヘッドエンド１０から送信される起動信号ＡＳをスタンバイチューナ２７により受信し、起動信号ＡＳがセットトップボックス１５の属するグループに対する起動信号の場合、スタンバイチューナ２７が通電指示信号ＤＳを出力し、電源制御部２５が通電指示信号ＤＳに応答してチューナ２１、復調部２２、ＡＶデータ処理部２３及びマイコン２４へ通電を行うので、ケーブル放送を受信しないスリープモードにおいて、チューナ２１、復調部２２、ＡＶデータ処理部２３及びマイコン２４へ通電することなく、スタンバイチューナ２７へのみ通電すればよく、セットトップボックス１５の消費電力を必要最低限に抑制することができる。
【００７１】
また、起動信号ＡＳとしてチューナ２１が受信する上りデータチャンネル、下りデータチャンネル、アナログ放送チャンネル及びデジタル放送チャンネル以外の周波数帯域内のキャリア信号Ｃ１〜Ｃ８を用いているので、通常のケーブル放送及びインタラクティブ通信に影響を与えることなく、任意の時刻に起動信号ＡＳをヘッドエンド１０から送信することができ、任意の時刻において任意のグループに属するセットトップボックスをスリープモードからパワーオンモードに切り替えることができる。
【００７２】
また、グループ毎にセットトップボックスをスリープモードからパワーオンモードに切り替えることができるので、グループ毎に異なる時間帯で下りデータ等を送信することができ、ケーブルネットワーク１４のトラフィックを効率よく活用することができる。
【００７３】
なお、上記の説明では、特定のグループに属するセットトップボックスをスリープモードからパワーオンモードに切り替える場合について説明したが、キャリア信号の数は上記の例に特に限定されず、種々の変更が可能であり、１個のキャリア信号のみを用いてケーブルネットワーク１４に接続されている全てのセットトップボックスをスリープモードからパワーオンモードに切り替えたり、個々のセットトップボックスを特定可能な数のキャリア信号を用いてセットトップボックスを個別にスリープモードからパワーオンモードに切り替える等してもよい。
【００７４】
次に、上記のセットトップボックス１５を指定した時刻にスリープモードからパワーオンモードへ切り替える場合の動作の一例について説明する。例えば、０時〜２４時までの間で１時間間隔すなわち２４個の起動時間を設定する場合、キャリア信号Ｃ１〜Ｃ１２２の中からさらに５個のキャリア信号すなわち５ビットデータを用いることにより２４個の起動時間を表すことができ、起動信号ＡＳ内に起動時刻情報を重畳することができる。
【００７５】
この場合、ヘッドエンド１０は、起動信号ＡＳとして８個のキャリア信号Ｃ１〜Ｃ８に加えて、起動時刻情報を特定するための５個のキャリア信号Ｃ９〜Ｃ１３をＲＦ合成部１３及びケーブルネットワーク１４を介してセットトップボックス１５へ出力する。また、図３に示すキャリア検出部は、１３個のキャリア信号Ｃ１〜Ｃ１３を検出する１３個のキャリア検出部から構成され、デコーダ７１は、グループを特定するための８個のキャリア検出部の全てのデジタルデータＤ１〜Ｄ８がハイレベルの場合にのみ通電指示信号ＤＳを出力するとともに、残りの５個のキャリア検出部のデジタルデータＤ９〜Ｄ１３をデコードしてデジタルデータＤ９〜Ｄ１３により特定される起動時刻を表す起動時刻情報を出力するように構成される。
【００７６】
このとき、セットトップボックス１５では、電源制御部２５により電源回路２６からチューナ２１、復調部２２、ＡＶデータ処理部２３及びマイコン２４へ電力供給が停止されており、スタンバイチューナ２７へのみ電力供給が行われている。したがって、スタンバイチューナ２７のキャリア検出部は、８個のキャリア信号Ｃ１〜Ｃ８を検出してハイレベルのデジタルデータＤ１〜Ｄ８をデコーダ７１へ出力するとともに、５個のキャリア信号Ｃ９〜Ｃ１３の有無をデジタルデータＤ９〜Ｄ１３としてデコーダ７１へ出力する。デコーダ７１は、ハイレベルのデジタルデータＤ１〜Ｄ８をデコードして通電指示信号ＤＳを出力するとともに、デジタルデータＤ９〜Ｄ１３により特定される起動時刻情報を出力する。例えば、デコーダ７１は、デジタルデータＤ９〜Ｄ１３が“０，０，０，０，１”のときに起動時刻情報として１時を表す信号、“１，０，０，０，０”のときに起動時刻情報として１６時を表す信号を電源制御部２５へ出力する。
【００７７】
電源制御部２５は、通電指示信号ＤＳ及び起動時刻情報を受信し、内部の時計機能を参照して現在時刻が起動時刻情報になったときに、電力プロファイルを変更して電源回路２６からスタンバイチューナ２７への電力供給を停止するとともに、チューナ２１、復調部２２、ＡＶデータ処理部２３及びマイコン２４への電力供給を開始する。この結果、セットトップボックス１５は、ヘッドエンド１０により指令された起動時刻にスリープモードからパワーオンモードへ切り替えられる。
【００７８】
このように、上記の例では、受信した起動信号ＡＳに含まれる起動時刻情報に応じてチューナ２１、復調部２２、ＡＶデータ処理部２３及びマイコン２４への通電を行うことができるので、任意時刻においてスリープモードからパワーオンモードに切り替えることができる。
【００７９】
なお、時間情報は上記の例に特に限定されず、上記の起動時間情報の代わりに起動信号ＡＳが受信された時刻から起動すべき時刻までの遅延時間を特定するための遅延時間情報を送信してもよい。この場合、起動信号ＡＳを受信した時刻から遅延時間が経過した後にチューナ２１、復調部２２、ＡＶデータ処理部２３及びマイコン２４への通電を行うことができるので、起動信号を送信した後の任意時刻においてスリープモードからパワーオンモードに切り替えることができる。
【００８０】
また、遅延時間を予め決定することができる場合、当該遅延時間を計時可能なタイマをスタンバイチューナ２７又は電源制御部２５に予め設けることにより、遅延時間情報を含まない起動信号を送信してタイマを起動させ、遅延時間経過後にスリープモードからパワーオンモードに切り替えるようにしてもよい。
【００８１】
また、本実施例では、パワーオンモードにおいて、チューナ２１等への電力供給を開始して各部を起動させた後、電源回路２６からスタンバイチューナ２７への電力供給を停止したが、スタンバイチューナ２７へも電力供給を行うようにしてもよい。この場合、以下のようにして、セットトップボックス１５をパワーオンモードからスリープモードへ切り替えることができる。
【００８２】
例えば、セットトップボックスをパワーオンモードからスリープモードへ切り替えるための停止信号ＴＳであることを特定するためのビットを追加するため、キャリア信号Ｃ１〜Ｃ１２２の中からさらに１個のキャリア信号すなわち１ビットデータを用いることにより、当該ビットがハイレベルの場合にヘッドエンド１０から送信される信号が停止信号ＴＳであることを特定することができる。この場合、当該ビットがローレベルのときにヘッドエンド１０から送信される信号が起動信号ＡＳであることを特定するようにしてもよい。
【００８３】
まず、ヘッドエンド１０は、停止信号ＴＳとして８個のキャリア信号Ｃ１〜Ｃ８に加えて、当該信号が停止信号であることを特定するための１個のキャリア信号Ｃ９をＲＦ合成部１３及びケーブルネットワーク１４を介してセットトップボックス１５へ出力する。このとき、スタンバイチューナ２７へも電力が供給されているため、スタンバイチューナ２７は、ヘッドエンド１０からの停止信号ＴＳを受信することができる。
【００８４】
この場合、図３に示すキャリア検出部は、９個のキャリア信号Ｃ１〜Ｃ９を検出する９個のキャリア検出部から構成され、デコーダ７１は、グループを特定するための８個のキャリア検出部の全てのデジタルデータＤ１〜Ｄ８がハイレベル且つ停止信号であることを表す残りの１個のキャリア検出部のデジタルデータＤ９がハイレベルの場合にのみ通電停止信号ＳＳを出力する。
【００８５】
このとき、電源制御部２５は、通電停止信号ＳＳに応答して電源回路２６からチューナ２１、復調部２２、ＡＶデータ処理部２３及びマイコン２４への電力供給を停止し、スタンバイチューナ２７へのみ電力供給を継続する。したがって、セットトップボックス１５は、パワーオンモードからスリープモードへ切り替えられる。
【００８６】
このように、電源制御部２５によりチューナ２１、復調部２２、ＡＶデータ処理部２３及びマイコン２４だけでなく、スタンバイチューナ２７へも電力が供給されている場合、チューナ２１が受信する特定周波数以外の周波数を用いてヘッドエンド１０から送信される停止信号ＴＳをスタンバイチューナ２７により受信する。このとき、停止信号ＴＳがセットトップボックス１５の属するグループに対する停止信号の場合、スタンバイチューナ２７が通電停止信号ＳＳを出力し、電源制御部２５が通電停止信号ＳＳに応答してチューナ２１、復調部２２、ＡＶデータ処理部２３及びマイコン２４への通電を停止するので、セットトップボックス１５をパワーオンモードからスリープモードへ切り替えることができる。したがって、深夜にヘッドエンド１０によりセットトップボックス１５がスリープモードからパワーオンモードに切り替えられ、その後、ユーザがセットトップボックス１５をスリープモードへ切り替えることを忘れたとき等において、セットトップボックス１５を自動的にパワーオンモードからスリープモードへ切り替えることができ、セットトップボックス１５の無駄な電力消費を防止することができる。
【００８７】
なお、上記のようにセットトップボックス１５を自動的にパワーオンモードからスリープモードへ切り替える場合、自動的にスリープモードへ切り替える前にパワーオンモードからスリープモードへの切り替え許可を確認するための確認画面を表示装置に表示し、当該確認画面に対してユーザが所定の確認操作を行った場合にのみ、自動的にパワーオンモードからスリープモードへ切り替えるようにしてもよい。この場合、ユーザがセットトップボックス１５を使用してケーブル放送を視聴しているときに、自動的にスリープモードへ切り替えられることを防止することができる。
【００８８】
また、停止信号の特定方法は、上記の例に特に限定されず、種々の変更が可能であり、起動信号を用いない場合は停止信号を特定するビットを省略してもよい。
【００８９】
また、スリープモードからパワーオンモードに自動的に切り替えられた後に、パワーオンモードからスリープモードへ切り替える方法は、上記の停止信号を用いる例に特に限定されず、例えば、パワーオンモードへの切り替え時から所定時間が経過した後、又は、下りデータの循環量後に、電源制御部２５が自動的にパワーオンモードからスリープモードへ切り替えるようにしてもよい。
【００９０】
また、上記の各説明では、セットトップボックス１５の電源をオン又はオフしているが、電源状態の制御例はこの例に特に限定されず、供給する電力を段階的に増加又は減少させてもよく、この場合、消費電力を段階的に制御することができ、又は、所定の回路に順次電力を供給又は停止させてもよく、この場合、部分的に消費電力を制御することができる。
【００９１】
次に、図２に示すスタンバイチューナの他の構成例について説明する。図６は、図２に示すスタンバイチューナの他の例を示すブロック図である。図６に示すスタンバイチューナ２７ａは、複数のＢＰＦ４１〜４ｋ、スイッチ８１、アンプ８２、レベル検波器８３、スイッチ制御器８４及びデコーダ８５を備える。
【００９２】
ＢＰＦ４１〜４ｋは、起動信号ＡＳとしてヘッドエンド１０から送信されるｋ個のキャリア信号Ｃ１〜Ｃｋ毎に設けられ、ＢＰＦ４１はキャリア信号Ｃ１のみを通過させ、他のＢＰＦ４２〜４ｋも通過帯域が異なる点を除き、上記と同様に構成され同様に動作する。スイッチ８１は、スイッチ制御器８４に制御され、ＢＰＦ４１〜４ｋの各出力を切り替えて各出力を順次アンプ８２へ導く。アンプ８２は、ＢＰＦ４１〜４ｋの各出力を所定の増幅率で順次増幅し、レベル検波器８３は、増幅された各信号が所定のレベル以上の場合に検出結果信号Ｄ１〜Ｄｋを順次出力する。
【００９３】
また、スイッチ制御器８４は、スイッチ８１の切り替えタイミングに同期して、スイッチ８１が出力している信号がどのＢＰＦの信号であるかを特定するためのＢＰＦ特定信号をデコーダ８５へ出力する。デコーダ８５は、ＢＰＦ特定信号に応じてレベル検波器８３から出力される検出結果信号Ｄ１〜Ｄｋを順次デコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。本例において、ＢＰＦ４１〜４ｋがフィルタ手段の一例に相当し、スイッチ８１及びスイッチ制御器８４が選択手段の一例に相当し、アンプ８２及びレベル検波器８３が検波手段の一例に相当し、デコーダ８５が抽出手段の一例に相当する。
【００９４】
この場合、図３に示すスタンバイチューナ２７を用いた場合と同様の効果を奏することができるとともに、アンプ８２及びレベル検波器８３を複数のＢＰＦ４１〜４ｋで共用することができるので、スタンバイチューナ２７ａの回路構成を簡略化することができる。
【００９５】
図７は、図２に示すスタンバイチューナのさらに他の例を示すブロック図である。図７に示すスタンバイチューナ２７ｂは、可変ＢＰＦ９１、アンプ９２、レベル検波器９３、周波数制御器９４及びデコーダ９５を備える。
【００９６】
周波数制御器９４は、起動信号ＡＳとしてヘッドエンド１０から送信されるｋ個のキャリア信号Ｃ１〜Ｃｋの各周波数でキャリア信号を順次通過させるように可変ＢＰＦ９１の通過周波数帯域を順次制御する。可変ＢＰＦ９１は、通過周波数帯域を変更可能に構成され、周波数制御器９４に指定された周波数のキャリア信号のみを順次通過させる。アンプ９２は、可変ＢＰＦ９１の出力を所定の増幅率で順次増幅し、レベル検波器９３は、増幅された各信号が所定のレベル以上の場合に検出結果信号Ｄ１〜Ｄｋを順次出力する。
【００９７】
また、周波数制御器９４は、可変ＢＰＦ９１の通過周波数帯域切り替えタイミングに同期して、可変ＢＰＦ９１が出力している信号がどのキャリア信号であるかを特定するためのキャリア特定信号をデコーダ９５へ出力する。デコーダ９５は、キャリア特定信号に応じてレベル検波器９３から出力される検出結果信号Ｄ１〜Ｄｋを順次デコードし、検出結果信号Ｄ１〜Ｄｋがセットトップボックス１５をスリープモードからパワーオンモードへ切り替えるための起動信号である場合、通電指示信号ＤＳを出力し、検出結果信号Ｄ１〜Ｄｋが他のセットトップボックスをスリープモードからパワーオンモードへ切り替えるための起動信号である場合、通電指示信号ＤＳを出力しない。本例において、可変ＢＰＦ９１が可変フィルタ手段の一例に相当し、周波数制御器９４が制御手段の一例に相当し、アンプ９２及びレベル検波器９３が検波手段の一例に相当し、デコーダ９５が抽出手段の一例に相当する。
【００９８】
この場合、図３に示すスタンバイチューナ２７を用いた場合と同様の効果を奏することができるとともに、１個の可変ＢＰＦ９１、アンプ９２及びレベル検波器９３を用いてｋ個のキャリア信号Ｃ１〜Ｃｋを検出することができるので、スタンバイチューナ２７ｂの回路構成を簡略化することができる。
【００９９】
なお、上記の説明では、米国におけるＣＡＴＶシステムのセットトップボックスを例に説明したが、この例に特に限定されず、本発明は日本、欧州等の他国におけるＣＡＴＶシステムのセットトップボックスにも同様に適用することができ、同様の効果を得ることができる。
【０１００】
また、本発明が適用されるテレビ放送システムは、上記のＣＡＴＶシステムに特に限定されず、地上波放送、衛星放送等を送信するテレビ放送システム等にも同様に適用することができ、同様の効果を得ることができる。
【産業上の利用可能性】
【０１０１】
上記のように、本発明によれば、任意の時刻において受信装置の電源状態を切り替えて消費電力を充分に低減することができ、放送局装置から放送信号を受信する受信装置、同装置を用いた表示装置及びテレビ放送システム等に好適に利用することができる。
【図面の簡単な説明】
【０１０２】
【図１】図１は、本発明の一実施例によるヘッドエンドを用いたＣＡＴＶシステムの構成を示すブロック図である。
【図２】図２は、図１に示すセットトップボックスの構成の一例を示すブロック図である。
【図３】図３は、図２に示すスタンバイチューナの構成の一例を示すブロック図である。
【図４】図４は、米国におけるＣＡＴＶ放送に使用される放送信号の周波数帯域の一例を示す図である。
【図５】図５は、キャリア信号の他の例を示す図である。
【図６】図６は、図２に示すスタンバイチューナの他の例を示すブロック図である。
【図７】図７は、図２に示すスタンバイチューナのさらに他の例を示すブロック図である。
【手続補正３】
【補正対象書類名】図面
【補正対象項目名】全図
【補正方法】変更
【補正の内容】
【図１】
2004091212.tif 000010
【図２】
2004091212.tif 000011
【図３】
2004091212.tif 000012
【図４】
2004091212.tif 000013
【図５】
2004091212.tif 000014
【図６】
2004091212.tif 000015
【図７】
2004091212.tif 000016
【国際調査報告】
2004091212.tif 000017
2004091212.tif 000018
2004091212.tif 000019
2004091212.tif 000020